(57)【要約】【課題】取り忘れられた明細票を回収する際のカット及び搬送を簡素化した印字ユニット及び自動取引装置を提供する。【解決手段】利用者との間で行われた取引情報をロール紙に印字して明細票を排出口から発行する印字ユニットであって、ロール紙の搬送方向を切り替える分岐部と、収納されているロール紙を引き出し、引き出されたロール紙を分岐部付近まで搬送する搬送部と、排出口と分岐部との間に配置され、引き出されたロール紙を所定の大きさに切断する切断部と、引き出されたロール紙を分岐部付近から排出口まで搬送し、または切断部によって切断されたロール紙を搬送された方向とは逆方向に分岐部付近まで搬送する排出搬送部と、排出搬送部によって搬送された切断されたロール紙を、分岐部付近から切断されたロール紙を回収するための回収部まで搬送する退避搬送部と、を備える。【選択図】図１２
2011164898.tif 000002
【特許請求の範囲】
【請求項１】
利用者との間で行われた取引情報をロール紙に印字して明細票を排出口から発行する印字ユニットであって、
前記ロール紙の搬送方向を切り替える分岐部と、
収納されている前記ロール紙を引き出し、引き出された前記ロール紙を前記分岐部付近まで搬送する搬送部と、
前記排出口と前記分岐部との間に配置され、引き出された前記ロール紙を所定の大きさに切断する切断部と、
引き出された前記ロール紙を前記分岐部付近から前記排出口まで搬送し、または前記切断部によって切断された前記ロール紙を搬送された方向とは逆方向に前記分岐部付近まで搬送する排出搬送部と、
前記排出搬送部によって搬送された前記切断された前記ロール紙を、前記分岐部付近から切断された前記ロール紙を回収するための回収部まで搬送する退避搬送部と、
を備えることを特徴とする印字ユニット。
【請求項２】
前記切断部は、前記切断された前記ロール紙が逆方向に搬送される途中で、前記切断された前記ロール紙をさらに切断する、
ことを特徴とする請求項１に記載の印字ユニット。
【請求項３】
前記切断部は、前記回収部の搬送方向の長さ以下の長さとなるように、前記切断された前記ロール紙をさらに切断する、
ことを特徴とする請求項２に記載の印字ユニット。
【請求項４】
前記取引情報を前記ロール紙に印字する印字ユニットをさらに備え、
前記印字ユニットは、前記分岐部よりも前記収納されたロール紙側に配置されている、
ことを特徴とする請求項１〜３のいずれか１項に記載の印字ユニット。
【請求項５】
前記印字部が前記取引情報を前記ロール紙に印字する場合には前記搬送部と前記排出搬送部とが繋がるように前記分岐部を切り替え、前記切断部が前記ロール紙を切断した場合には前記排出搬送部と前記退避搬送部とが繋がるように前記分岐部を切り替える制御部をさらに備える、
ことを特徴とする請求項４に記載の印字ユニット。
【請求項６】
請求項１〜５のいずれか１項に記載の印字ユニットを備えたことを特徴とする自動取引装置。
【発明の詳細な説明】
【技術分野】
【０００１】
本発明は、ＡＴＭ（Automated-Teller  Machine）等の自動取引装置に使用して好適な印字ユニット及び該印字ユニットを備える印字ユニット及び自動取引装置に関し、特に、取引処理の内容を印字した明細票を発行する明細票発行機構に関する。
【背景技術】
【０００２】
今般、貸金法改正による約款等の表示義務や金融機関によるＡＴＭでの相互取引等により、取引明細の印字量が１枚長の明細票に収まらなくなってきた。
【０００３】
現金自動取引装置等に関する従来技術として、１枚長の明細票に印字量が収まらない場合、通常は、明細票の１枚長を長くする方法が取られることが多い。例えば、特許文献１に開示された技術では、明細票の１枚長を長くすることによって、取引明細の印字量を収めている。この場合、当該取引で明細票の取り忘れが発生した場合、回収箱溢れを防止する為、取り忘れられた明細票をカット或は折り曲げて回収している。
【先行技術文献】
【特許文献】
【０００４】
【特許文献１】特許第３８５９５００号公報
【発明の概要】
【発明が解決しようとする課題】
【０００５】
上述した特許文献１に開示された印字ユニットでは、明細票を排出する際の部品は、ロール紙、印字ヘッド、カッタ、ブレード、排出口の順に配置されている。一方、明細票を回収する際の部品は、排出口、ブレード、回収箱の順に配置される構成となっている。回収時に明細票をカットする場合、取り忘れ発生後、まず、明細票をカッタ部まで戻し搬送をする。そして、明細票をカットした後再び回収ゲート部まで送り搬送し、ゲートを回収側とした後、戻し搬送によりカットした明細票を回収している。したがって、回収時の明細票の正転搬送、逆転搬送が数回行われ、取り忘れられた明細票を回収するための処理時間がかかるという問題があった。
【０００６】
本発明の目的は、前述した従来技術の問題点を解決し、取り忘れられた明細票を回収する際のカット及び搬送を簡素化した印字ユニット及び自動取引装置を提供することにある。
【課題を解決するための手段】
【０００７】
上述した目的を達成するために、本発明にかかる印字ユニットは、利用者との間で行われた取引情報をロール紙に印字して明細票を排出口から発行する印字ユニットであって、前記ロール紙の搬送方向を切り替える分岐部と、収納されている前記ロール紙を引き出し、引き出された前記ロール紙を前記分岐部付近まで搬送する搬送部と、前記排出口と前記分岐部との間に配置され、引き出された前記ロール紙を所定の大きさに切断する切断部と、引き出された前記ロール紙を前記分岐部付近から前記排出口まで搬送し、または前記切断部によって切断された前記ロール紙を搬送された方向とは逆方向に前記分岐部付近まで搬送する排出搬送部と、前記排出搬送部によって搬送された前記切断された前記ロール紙を、前記分岐部付近から切断された前記ロール紙を回収するための回収部まで搬送する退避搬送部と、を備えることを特徴とする。
【０００８】
また、本発明は、上記印字ユニットを備えた自動取引装置である。
【発明の効果】
【０００９】
本発明によれば、取り忘れられた明細票を回収する際のカット及び搬送を簡素化した印字ユニット及び自動取引装置を提供することができる。
【図面の簡単な説明】
【００１０】
【図１】現金自動取引装置（ＡＴＭ）の外観を示す斜視図である。
【図２】ＡＴＭの機能的な構成を示すブロック図である。
【図３】図２に示した明細票発行機構の物理的な構成の例を示す概略図である。
【図４】図２に示した明細票発行機構の機能構成を示すブロック図である。
【図５】明細票発行機構の印字ユニットが、印字指示待ち（待機中）の状態を示す図である。
【図６】明細票ロール紙が搬送区間から排出区間へと搬送される様子を示す図である。
【図７】カッタによって１枚の明細票の長さが回収箱の搬送方向の幅よりも長い明細票の大きさにカットされる様子を示す図である。
【図８】明細票が排出センサ付近にまで搬送された様子を示す図である。
【図９】ロール紙側の明細票の先端部が印字ヘッドに戻される様子を示す図である。
【図１０】分岐ゲートの先端部が排出区間と退避区間とが繋がるように下方に向けられた様子を示す図である。
【図１１】取り忘れられた明細票が、排出区間から退避区間まで搬送される様子を示す図である。
【図１２】回収搬送の途中で、明細票がカットされる様子を示す図である。
【図１３】カットされた明細票が退避区間を経由して回収箱に回収される様子を示す図である。
【図１４】分岐ゲートの先端部が図７に示した位置にまで戻すように設定された様子を示す図である。
【発明を実施するための形態】
【００１１】
以下に添付図面を参照して、この発明にかかる印字ユニット及び自動取引装置の実施の形態を詳細に説明する。以下の説明では、印字ユニット及び自動取引装置を現金自動取引装置（以下、ＡＴＭ：Automated-Teller  Machineと呼ぶ。）１０００に適用した場合について説明しているがこれに限定されるものではない。例えば、ロール紙を用いてレシート等の印刷媒体を発行するレジスタ等、ロール紙を用いて印刷して印刷媒体を発行する様々な装置に適用することができる。
【００１２】
図１は、現金自動取引装置１０００の外観を示す斜視図である。図１に示すように、現金自動取引装置１０００は、ＣＰＵ、ＲＡＭ、ＨＤＤ等の記憶装置等を備えて装置全体を制御する本体制御部２と、表示装置上に設けられるタッチパネル等により構成される操作部３と、カード挿入口４１を有するカード取り扱い機構４と、明細票排出口１７を有する明細票発行機構５と、現金入出金口６１を有する現金取り扱い機構６と、通帳挿入口７１を有する通帳印字機構７と、センタ１との間の通信を行うＮＩＣ（Network  Interface  Card）等の回線制御部８と、外部装置との間の接続を行う外部入出力装置９とを含んで構成されている。
【００１３】
図２は、図１に示したＡＴＭ１０００の機能的な構成を示すブロック図である。図２に示すように、ＡＴＭ１０００は、不図示のネットワークを介して、ＡＴＭ１０００を管理するセンタ１に接続され、図１に示した各装置や各ユニットに対応する機能的な構成を有している。
【００１４】
カード取り扱い機構４は、利用者がカート挿入口４１から挿入したカードを取り込み、カードに記録された利用者情報を読み出して本体制御部２へ報告する。また、カード取り扱い機構４は、本体制御部２から指示されたデータを、挿入されたカードに書き込んでカード挿入口４１から排出する。
【００１５】
操作部３は、利用者が入力した取引の種類や取引金額等の取引情報を本体制御部２に出力連絡する。現金取り扱い機構６は、本体制御部２の指示により、現金入出金口６１に現金を出金したり、あるいは利用者が預け入れた現金を現金入出金口６１から取り込んで計数し、その結果を本体制御部２に出力する。
【００１６】
明細票発行機構５は、本体制御部２の指示により、取引情報に従って利用者との間で行った取引に関するデータ（取引データ）を明細票に印字し、印字した明細票１０を明細票排出口１７から排出する。なお、以下では、取引データの量が多く、１枚の明細票１０の長さが、後述する明細票発行機構５が有する回収箱３３の搬送方向の幅よりも長い場合について説明している。後述するように、１枚の明細票の長さが回収箱３３の搬送方向の幅よりも長い明細票１０に取引データが印字され、その明細票１０を顧客が取り忘れた場合、明細票発行機構５の印字ユニット５００は、カッタ２１によってあらかじめ定められた長さ以下（回収箱３３の搬送方向の長さ以下）にカットした上で、カットしたそれぞれの明細票を回収箱３３に回収する。
【００１７】
通帳印字機構７は、利用者が通帳挿入口７１から挿入された通帳を取り込み、本体制御部２の指示により、取引データを通帳に印字して通帳挿入口７１から排出する。回線制御部８は、本体制御部２の指示により、暗証番号、取引金額、口座番号、振込み先情報等の取引情報をセンタ１への送信を媒介したり、あるいはセンタ１の処理結果を受信して本体制御部２に出力する。
【００１８】
センタ１は、回線制御部８から受信した暗証番号、取引金額、口座番号、振込み先情報等の取引情報を確認し、確認結果を回線制御部８へ送信したりする。外部入出力装置９は、例えば、ＣＤ−ＲＯＭ、ＤＶＤ−ＲＯＭ等の外部記録媒体用の入出力装置であり、本体制御部２の内部の記憶装置（不図示）に格納されているソフトウェアの入れ替え、更新等のために利用される。なお、外部入出力装置９は、ネットワークに接続されてソフトウェアの入れ替え、更新等のための情報を、ネットワークを介して外部のサイト等から受け取ることが可能なものであってもよい。
【００１９】
図３は明細票発行機構５の構成例を示す概略図である。なお、本発明の実施形態では、明細票は、ロール状に巻かれた明細票ロール紙を利用して作成するものとし、個々の明細票１０は、必要な印字を行った後に、明細票ロール紙を切断して提供される。
【００２０】
図３に示すように、明細票発行機構５は、明細票排出口１７から明細票ロール紙１４を保持するホッパ部１３までの間に、図示しない搬送モータ及び連結クラッチを有する駆動装置により区間毎（後述）に駆動される搬送路１６が設けられ、その搬送路１６に沿って、明細票排出口１７に近い側から、明細票１０が利用者に抜き取られたか否かを検知する抜取センサ１２、排出区間（後述）に明細票が搬送されたか否かを検知する排出センサ１１、明細票の搬送先を排出区間（後述）と退避区間（後述）との間で切り替える分岐ゲート３１、明細票を所定の大きさ（サイズ）に切断するカッタ２１、取引情報等を明細票に印字する印字ヘッド２０、明細票が搬送区間（後述）に搬送されたか否かを検知する搬送路入口センサ１８、明細票ロール紙１４と明細票ロール紙１４から繰り出される明細票とを分離する分離部１５、不要な明細票等を回収する回収箱３３、明細票が退避区間（後述）に搬送されたか否かを検知する回収センサ３２を有する印字ユニット５００を備えている。
【００２１】
ここで、区間とは、明細票が明細票ロール紙１４から搬送路１６に沿って搬送され、最終的に明細票排出口１７から明細票１０として利用者に排出されるまでの区間である。以下では、明細票が明細票ロール紙１４から搬送路１６に沿って分岐ゲート３１付近まで搬送される区間を搬送区間Ｄ１、分岐ゲート３１付近から明細票排出口１７まで搬送される区間を排出区間Ｄ２、明細票排出口１７から回収箱３３付近まで搬送される区間を退避区間Ｄ３と呼ぶこととする。
【００２２】
なお、上述したカッタ２１は、図３に示した例では、排出区間Ｄ２上、すなわち分岐ゲート３１と明細票排出口１７との間であって、分岐ゲート３１の手前付近（明細票排出口１７側）に配置されている。カッタ２１が、分岐ゲート３１と明細票排出口１７との間に配置されているので、後述するように、明細票１０は、印字ユニット５００に配置された各部品、すなわち、明細票ロール紙１４、印字ヘッド２０、分岐ゲート３１、カッタ２１、明細票排出口１７の順に経由して排出される。そして、顧客が明細票１０を取り忘れた場合には、明細票１０は、明細票排出口１７、カッタ２１、分岐ゲート３１、回収箱３３の順に経由して回収箱３３に回収される。したがって、顧客が取り忘れた明細票１０を、ある一方向にのみ搬送しつつカットして明細票１０を回収するので、明細票１０を回収するための処理時間を短縮することができる。
【００２３】
また、印字ユニット５００には、明細票ロール紙１４の径の大きさを検知して明細票ロール紙１４残量を検出するロール紙残量センサ１９が備えられている。尚、図示しない搬送モータ及び連結クラッチにより、搬送路１６は明細票排出口１７からカッタ２１及び回収箱３３側を駆動する場合と、搬送路１６全体が駆動する場合とがあり、印字の時は搬送路１６全体を駆動し、カッタ２１によるカット後は、明細票排出口１７からカッタ２１及び回収箱３３側を駆動している。
【００２４】
図４は、図２に示した明細票発行機構５の機能構成を示すブロック図である。明細票発行機構５は、明細票発行機構５の全体を制御する明細票制御部２２、回線制御部２８、センサ制御部２３、搬送モータ制御部２４、カッタ制御部２５、印字ヘッド制御部２６、印字編集制御部２７、印字バッファ２９、アクチェータ制御部３０を含んで構成されている。
【００２５】
回線制御部２８は、本体制御部２から、明細票ロール紙１４のローディング、用紙への印字、用紙のカットまたは排出等の指示情報を受信し、受信した指示情報を明細票制御部２２に出力する。また、回線制御部２８は、明細票が印字され、利用者に排出された場合の処理結果を明細票制御部２２から受け取って本体制御部２へ送信する。
【００２６】
センサ制御部２３は、搬送路入口センサ１８や、排出センサ１１、あるいは抜取センサ１２等が、明細票が搬送路１６上を通過したか否か、明細票が残留しているか否か、あるいはアクチェータ等の定位置を監視している複数のセンサ（不図示）からの情報を読み取り、その結果を明細票制御部２２に出力する。
【００２７】
搬送モータ制御部２４は、明細票制御部２２からの指示により、明細票１０を搬送する図示しない搬送モータをＯＮ／ＯＦＦ制御する。
【００２８】
カッタ制御部２５は、明細票制御部２２からの指示により、明細票１０を所定の長さにカットするカッタ２１を動作させる。
【００２９】
印字ヘッド制御部２６は、明細票制御部２２からの指示により印字ヘッド２０を制御して印字バッファ２９に格納されている内容である取引データを明細票１０に印字させる。
【００３０】
印字編集制御部２７は、明細票制御部２２からの指示により、取引データを編集し、編集結果を印字バッファ２９に格納する。
【００３１】
アクチェータ制御部３０は、明細票制御部２２からの指示により、上述した区間に分けられた搬送路１６の動作を制御する連結クラッチ等のアクチェータを制御する。
【００３２】
なお、上述した明細票発行機構５の各部は、プログラムによる命令として実行され、実際にはＣＰＵ（プロセッサ）が不図示のメモリ等からプログラムを読み出して実行することにより、回線制御部２８やセンサ制御部２３等の上記各部が不図示の主記憶装置上にロードされ、各部がその主記憶装置上に生成されるようになっている。
【００３３】
図５〜図１４は、上述した明細票発行機構５の印字ユニットが、明細票１０を繰り出してから利用者に排出した場合であって、その後、明細票１０の抜き取り忘れが発生し、明細票１０を回収するまでの様子を示す図である。
【００３４】
図５は、明細票発行機構５の印字ユニット５００が、印字指示待ち（待機中）の状態を示す図である。図５に示すように、印字ユニット５００は、明細票制御部２２が印字指示を行った場合、アクチェータ制御部３０は、明細票制御部２２からの指示により、明細票ロール紙１４を搬送するように、図示してない連結クラッチにより搬送路１６全体を駆動可能に設定する。そして、図６に示すように、明細票ロール紙１４は、搬送区間Ｄ１から排出区間Ｄ２へと搬送される。
【００３５】
図７は、搬送区間Ｄ１から排出区間Ｄ２に搬送された明細票ロール紙１４が、印字ヘッド２０付近を通過して印字された後、カッタ２１によって１枚の明細票の長さが回収箱３３の搬送方向の幅よりも長い大きさにカットされる様子を示す図である。図７に示すように、搬送区間Ｄ１から排出区間Ｄ２に搬送された明細票ロール紙１４は、取引データの量等に応じて１枚の明細票の長さが回収箱３３の搬送方向の幅よりも長い明細票１０の大きさにカットされる。
【００３６】
このとき、図示してない連結クラッチにより、搬送路１６は、排出区間Ｄ２および退避区間Ｄ３の部分が駆動するように設定されている。そして、明細票制御部２２は、分岐ゲート３１を、搬送区間Ｄ１と排出区間Ｄ２とが繋がるように、その先端部Ｔを、元の位置（退避区間Ｄ３と排出区間Ｄ２との中間位置、すなわち回収箱３３側と印字ヘッド２０側の中間位置）から上方に向けるように制御する。その後、カッタ２１によってカットされた明細票１０は、図８に示すように、排出センサ１２付近にまで搬送され、搬送された明細票１０が顧客によって抜き取られることとなる。
【００３７】
このとき、顧客が明細票１０を取り忘れ、明細票１０が排出されたまま抜き取られずに所定の時間が経過すると、図９に示すように、アクチュエータ制御部３０は、連結クラッチによってロール紙側の明細票１０の先端部Ｐを印字ヘッド２０に戻すように搬送路１６を制御させる。そして、図１０に示すように、アクチュエータ制御部３０は連結クラッチをオフにし、明細票制御部２２は分岐ゲート３１の先端部Ｔを排出区間Ｄ２と退避区間Ｄ３とが繋がるように下方に向けるように制御する。その後、アクチェータ制御部３０は、図示してない連結クラッチを動作させ、取り忘れられた明細票を排出区間Ｄ２から退避区間Ｄ３に搬送（回収搬送）させる。
【００３８】
図１１は、取り忘れられた明細票１０が、排出区間Ｄ２から退避区間Ｄ３まで搬送される様子を示す図である。図１１に示すように、明細票１０は排出区間Ｄ２から退避区間Ｄ３まで搬送されるが、このとき、カッタ制御部２５は、図１２に示すように、回収搬送の途中で、明細票がある程度搬送された状態（例えば、明細票の半分の長さとなった状態）で、カッタ２１に明細票１０をカットする。なお、カッタ２１が明細票１０をカットするタイミングについては、例えば、あらかじめ定められた１枚長の明細票の長さが搬送されたタイミングを不図示のタイマ等によって計測する等、明細票１０の搬送方向の長さが回収箱３３の長さ以下に収まる程度にカット可能なものであれば、その方法はいずれの方法でも構わない。
【００３９】
その後、図１３に示すように、カットされた明細票１０は、退避区間Ｄ３を経由して回収箱３３に回収され、その後、明細票制御部２２は、図１４に示すように、分岐ゲート３１の先端部Ｔを図５に示した位置にまで戻すように設定し、次に取引データが明細票１０に印字される場合に備える。
【００４０】
このように、利用者との間で行われた取引情報を明細票ロール紙１４に印字して明細票１０を明細票排出口１７から発行する印字ユニットにおいて、分岐ゲート３１が、明細票ロール紙１４の搬送方向を切り替え、搬送路１６（搬送区間Ｄ１）が、収納されている明細票ロール紙１４を引き出し、引き出された明細票ロール紙１４を分岐ゲート３１付近まで搬送し、明細票カッタ２１が、明細票排出口１７と分岐ゲート３１との間に配置され、引き出された明細票ロール紙１４を所定の大きさに切断し、搬送路１６（排出区間Ｄ２）が、引き出された明細票ロール紙１４を分岐ゲート３１付近から明細票排出口１７まで搬送し、または明細票カッタ２１によって切断された明細票ロール紙１４を搬送された方向とは逆方向に分岐ゲート３１付近まで搬送し、搬送路１６（排出区間Ｄ３）が、搬送路１６（排出区間Ｄ２）によって搬送された切断され明細票ロール紙１４を、分岐ゲート３１付近から切断された明細票ロール紙１４を回収するための回収箱３３まで搬送するので、取り忘れられた明細票を回収する際のカット及び搬送を簡素化した印字ユニット及び自動取引装置を提供することができる。
【００４１】
前述した本発明の実施形態での各処理は、プログラムにより構成し、本発明が備えるＣＰＵに実行させることができ、また、それらのプログラムは、ＦＤ、ＣＤＲＯＭ、ＤＶＤＲＯＭ等の記録媒体に格納して提供することができ、また、ネットワークを介してディジタル情報により提供することができる。
【００４２】
本実施の形態のＡＴＭ１０００（明細票機構部５）で実行されるプログラムは、ＲＯＭ等に予め組み込まれて提供される。本実施の形態のＡＴＭ１０００（明細票機構部５）で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録して提供するように構成してもよい。
【００４３】
さらに、本実施の形態のＡＴＭ１０００（明細票機構部５）で実行されるプログラムを、インターネット等のネットワークに接続されたコンピュータ上に格納し、ネットワーク経由でダウンロードさせることにより提供するように構成してもよい。また、本実施形態のＡＴＭ１０００（明細票機構部５）で実行されるプログラムをインターネット等のネットワーク経由で提供または配布するように構成してもよい。
【００４４】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【００４５】
１０００  ＡＴＭ
１  センタ
２  本体制御部
３  操作部
４  カード取扱機構
５  明細票発行機構
６  現金取扱機構
７  通帳取扱機構
８  回線制御部
９  外部入出力装置
１０  明細票
１１  排出センサ
１２  抜き取りセンサ
１３  ホッパ部
１４  明細票ロール
１５  分離部
１６  搬送路
１７  明細票排出口
１８  搬送路入口センサ
１９  ロール紙残量センサ
２０  印字ヘッド
２１  明細票カッタ
２２  明細票制御部
２３  センサ制御部
２４  搬送モータ制御部
２５  カッタ制御部
２６  印字ヘッド制御部
２７  印字編集制御部
２８  回線制御部
２９  印字バッファ
３０  アクチェータ制御部
３１  分岐ゲート
３２  回収センサ
３３  回収箱
４１  カード挿入口
６１  現金出金口
７１  通帳挿入口
５００  印字ユニット。
【図１】
2011164898.tif 000003
【図２】
2011164898.tif 000004
【図３】
2011164898.tif 000005
【図４】
2011164898.tif 000006
【図５】
2011164898.tif 000007
【図６】
2011164898.tif 000008
【図７】
2011164898.tif 000009
【図８】
2011164898.tif 000010
【図９】
2011164898.tif 000011
【図１０】
2011164898.tif 000012
【図１１】
2011164898.tif 000013
【図１２】
2011164898.tif 000014
【図１３】
2011164898.tif 000015
【図１４】
2011164898.tif 000016